(57)【要約】【課題】ファインダー画像の一部に関する輝度情報を把握できる撮像装置を提供する。【解決手段】デジタルカメラは、ＬＣＤなどの表示部を有している。本撮影前にＣＣＤで取得したファインダー画像Ｇ３を表示部に表示するとともに、撮影者の操作により上下左右に移動可能なポインタＰＴをファインダー画像Ｇ３に重畳して表示する。そして、ファインダー画像Ｇ３全体の輝度分布を表すヒストグラムＨＧと、ポインタＰＴによって指定される部位の画素の輝度を表すマーカーＭＫとをファインダー画像Ｇ３に重畳して表示する。このマーカーＭＫの表示により、撮影者はファインダー画像Ｇ３の一部に関する輝度情報を把握できることとなる。【選択図】        図９
2004208028.tif 000002
【特許請求の範囲】
【請求項１】
撮像装置であって、
(a)本撮影前に被写体に係る撮影準備画像を取得する撮像手段と、
(b)前記撮影準備画像に基づく表示が可能な表示手段と、
(c)前記表示手段に表示された前記撮影準備画像上で輝度検出部位を指定する指定手段と、
(d)前記輝度検出部位の画像データに関する輝度情報を前記表示手段に表示させる表示制御手段と、
を備えることを特徴とする撮像装置。
【請求項２】
請求項１に記載の撮像装置において、
(e)前記撮影準備画像の一部に相当する合焦エリア内の画像データに基づき、合焦制御を行う合焦手段、
をさらに備え、
前記輝度検出部位と前記合焦エリアとは、前記撮影準備画像において連動して移動することを特徴とする撮像装置。
【請求項３】
請求項１または請求項２に記載の撮像装置において、
(f)前記表示制御手段が能動化される場合には、特定の操作部材に対する操作入力に基づき露出補正に係る露出設定を行う第２調整手段と、
(g)前記表示制御手段が不能化される場合には、前記特定の操作部材に対する操作入力に基づき前記露出設定と異なる他の種類の設定を行う第１調整手段と、
を備えることを特徴とする撮像装置。
【請求項４】
請求項１ないし請求項３のいずれかに記載の撮像装置において、
(h)光に係る波長域を指定する波長指定手段、
をさらに備え、
前記表示制御手段は、
(d-1)前記指定手段で指定された前記輝度検出部位について、前記波長指定手段で指定された波長域の濃度情報を前記表示手段に表示させる手段、
を有することを特徴とする撮像装置。
【請求項５】
請求項１ないし請求項４のいずれかに記載の撮像装置において、
(i)フラッシュ撮影を行うフラッシュ撮影モードに設定する手段、
をさらに備え、
前記表示制御手段は、
(d-2)前記フラッシュ撮影モードが設定される場合には、本撮影前においてフラッシュのプリ発光を伴い取得された前記撮影準備画像に基づき、前記輝度検出部位の輝度情報を前記表示手段に表示させる手段、
を有することを特徴とする撮像装置。
【発明の詳細な説明】
【０００１】
【発明の属する技術分野】
本発明は、本撮影前に被写体に係る撮影準備画像を取得可能な撮像装置に関する。
【０００２】
【従来の技術】
デジタルカメラ(撮像装置)においては、ＬＣＤなどの表示部に撮影された画像を表示するのみならず、本撮影前に様々な情報を表示できるものがある。
【０００３】
例えば、特許文献１には、本撮影前のファインダー画像(撮影準備画像)とともにファインダー画像に関する輝度分布を、ヒストグラムとしてリアルタイムで表示部に表示する技術が開示されている。この技術により、撮影者は、ファイダー画像の全体に対する輝度分布を把握できる。
【０００４】
【特許文献１】
特開２００２−８４４４１号公報
【０００５】
【発明が解決しようとする課題】
しかしながら、上記の特許文献１では、ファインダー画像全体の輝度分布のみを表示するため、撮影者が所望するファインダー画像の一部、例えば人物などの主被写体上の狭いエリアの輝度情報を把握できない。
【０００６】
本発明は、上記課題に鑑みてなされたものであり、ファインダー画像の一部に関する輝度情報を把握できる撮像装置を提供することを目的とする。
【０００７】
【課題を解決するための手段】
上記の課題を解決するため、請求項１の発明は、撮像装置であって、(a)本撮影前に被写体に係る撮影準備画像を取得する撮像手段と、(b)前記撮影準備画像に基づく表示が可能な表示手段と、(c)前記表示手段に表示された前記撮影準備画像上で輝度検出部位を指定する指定手段と、(d)前記輝度検出部位の画像データに関する輝度情報を前記表示手段に表示させる表示制御手段とを備える。
【０００８】
また、請求項２の発明は、請求項１の発明に係る撮像装置において、(e)前記撮影準備画像の一部に相当する合焦エリア内の画像データに基づき、合焦制御を行う合焦手段をさらに備え、前記輝度検出部位と前記合焦エリアとは、前記撮影準備画像において連動して移動する。
【０００９】
また、請求項３の発明は、請求項１または請求項２の発明に係る撮像装置において、(f)前記表示制御手段が能動化される場合には、特定の操作部材に対する操作入力に基づき露出補正に係る露出設定を行う第２調整手段と、(g)前記表示制御手段が不能化される場合には、前記特定の操作部材に対する操作入力に基づき前記露出設定と異なる他の種類の設定を行う第１調整手段とを備える。
【００１０】
また、請求項４の発明は、請求項１ないし請求項３のいずれかの発明に係る撮像装置において、(h)光に係る波長域を指定する波長指定手段をさらに備え、前記表示制御手段は、(d-1)前記指定手段で指定された前記輝度検出部位について、前記波長指定手段で指定された波長域の濃度情報を前記表示手段に表示させる手段を有する。
【００１１】
また、請求項５の発明は、請求項１ないし請求項４のいずれかの発明に係る撮像装置において、(i)フラッシュ撮影を行うフラッシュ撮影モードに設定する手段をさらに備え、前記表示制御手段は、(d-2)前記フラッシュ撮影モードが設定される場合には、本撮影前においてフラッシュのプリ発光を伴い取得された前記撮影準備画像に基づき、前記輝度検出部位の輝度情報を前記表示手段に表示させる手段を有する。
【００１２】
【発明の実施の形態】
＜デジタルカメラの要部構成＞
図１〜図３は、本発明の実施形態に係るデジタルカメラ１の外観の概略構成を示す図である。図１はデジタルカメラ１の平面図、図２は図１のII−II位置から見た断面図、図３はデジタルカメラ１の背面図に相当する。
【００１３】
デジタルカメラ１は、撮像装置として機能し、略直方体状をしているカメラ本体部２と、カメラ本体部２に着脱可能に装着される撮影レンズ３から構成される。図１に示すように、デジタルカメラ１は撮影画像を記録するメモリカード８が着脱可能に収納されるようになっている。また、デジタルカメラ１は、４本の単三形乾電池Ｅ１〜Ｅ４を直列接続する電源電池Ｅを駆動源としている。
【００１４】
図２に示すように、ズームレンズである撮影レンズ３はレンズ群３０を備えている。ここでは、撮影レンズ３として２群ズームレンズを示しており、レンズ群３０は、大きく２つのレンズ群３００，３０１に分類される。なお、図２および図３においては、図示の都合上、レンズ群３００，３０１をそれぞれ一枚のレンズとして示している。ただし、実際には各レンズ群３００，３０１は、一枚のレンズに限定されず、複数枚のレンズの集合体として構成されていても良い。
【００１５】
一方、カメラ本体部２の内部には、レンズ群３００を駆動するためのモータＭ１、およびレンズ群３０１を駆動するモータＭ２が設けられている。これらのモータＭ１，Ｍ２の駆動により、レンズ群３００，３０１が互いに独立して光軸方向に移動することによって、撮影レンズ３のズーム倍率の変更を行うことが可能である。また、これらのモータＭ１，Ｍ２を用いて、レンズ群３００，３０１を駆動することにより、撮影レンズ３の合焦状態を変更すること、すなわち、フォーカス動作を行うことが可能である。
【００１６】
また、撮影レンズ３のレンズ群３０の後方位置の適所にカラー撮像素子３０３が設けられている。カラー撮像素子３０３は、ＣＣＤからなるエリアセンサの各画素の表面に、Ｒ(赤)、Ｇ(緑)、Ｂ(青)のカラーフィルタが市松模様状に貼り付けられた単板式カラーエリアセンサで構成される。このカラー撮像素子(以下、「ＣＣＤ(Charge Coupled device)」という)は、例えば２５００×１９２０の画素数を有している。また、ＣＣＤ３０３は、本撮影前に被写体に係るファインダー画像(撮影準備画像)を取得する撮像手段として機能する。
【００１７】
カメラ本体部２の前面には、図１のようにグリップ部Ｇが設けられ、カメラ本体部２の上端の適所にポップアップ形式の内蔵フラッシュ５が設けられている。この内蔵フラッシュ５は、フラット発光が可能な構成となっている。
【００１８】
また、図３のようにカメラ本体部２の上面には、シャッタボタン９および、ダイアル９１が設けられている。このシャッタボタン９については、フォーカス調整用などのトリガーとして用いる半押し状態(これを「Ｓ１状態」という)と、記録用撮影のトリガーとして用いる全押し状態(これを「Ｓ２状態」という)とを検出し、判別する機能を有している。
【００１９】
ダイアル９１は、回動させることで簡単に各種の設定値を連続的に変更できる。ただし、ポイント選択モード(後述)に移行する場合は、ダイアル９１を露出補正用として切替えられる。すなわち、ポイント選択機能(ポイント選択モード)が能動化される場合には、特定の操作部材であるダイアル９１に対する操作入力に基づき露出補正に係る露出設定が行われるとともに、ポイント選択機能が不能化される場合には、ダイアル９１に対する操作入力に基づき露出設定と異なる他の種類の設定が行われる。これにより、露出補正を簡易に迅速に行えることとなる。なお、上記の他の種類の設定としては、例えばコントラストや彩度の調整などがあり、主として露出調整以外の撮影条件の設定である。
【００２０】
一方、カメラ本体部２の背面には、電子ビューファインダ(以下、「ＥＶＦ(Electronic View Finder)」という)２０と液晶ディスプレイ(以下、「ＬＣＤ(Liquid Crystal Display)」という)１０とが設けられている。なお、光学ファインダーと異なり、撮影待機状態においてＣＣＤ３０３からの画像信号に関するライブビュー表示を行うＥＶＦ２０およびＬＣＤ１０がファインダーとしての機能を担っており、本撮影前のファインダー画像に基づく表示を行える。
【００２１】
また、ＬＣＤ１０は記録モードにおいて撮影モードや撮影条件等を設定するためのメニュー画面を表示したり、再生モードにおいてメモリカード８に記録された撮影画像を再生表示することが可能である。
【００２２】
カメラ本体部２は、その背面左方に電源スイッチ１４が設けられ、その背面右方に４連スイッチ１５が設けられている。４連スイッチ１５は、円形の操作ボタンを有し、この操作ボタンにおける上下左右の４方向のボタンＳＵ、ＳＤ、ＳＬ、ＳＲを押下することによって各種操作を行うことが可能となっている。例えば、ＬＣＤ１０に表示されるメニュー画面で選択された項目を変更したり、インデックス画面で選択された再生対象のコマを変更するためのスイッチとして機能する。また、記録モードにおいて左右方向のボタンＳＬ，ＳＲは、ズーム倍率を変更するためのスイッチとして機能する。具体的には、モータＭ１，Ｍ２の駆動により２つのレンズ群３００，３０１の相対的な位置関係が変更されることによって、ズーム倍率が変更される。より詳細には、右方向スイッチＳＲを押下するとワイド側に連続的に移動し、左方向スイッチＳＬを押下するとテレ側に連続的に移動する。
【００２３】
また、４連スイッチ１５の下方には、実行スイッチ３１、取消スイッチ３２、メニュー表示スイッチ３３及びモード切替スイッチ３４等のスイッチ群１６が設けられている。実行スイッチ３１は、メニュー画面で選択された内容を確定するまたは実行するためのスイッチである。取消スイッチ３２は、メニュー画面で選択された内容を取り消すためのスイッチである。メニュー表示スイッチ３３は、ＬＣＤ１０にメニュー画面を表示させたり、メニュー画面の内容を切り換えたりするためのスイッチである。モード切替スイッチ３４は、「撮影モード」と「再生モード」とを切替えるためのスイッチである。この撮影モードは、静止画撮影や動画撮影を行うモードであり、再生モードは、メモリカード８に記録された撮影画像をＬＣＤ１０またはＥＶＦ２０に再生表示するモードである。デジタルカメラ１の起動時には、自動的に撮影モードが選択されるが、起動後にモード切替スイッチ３４を押下するたびに撮影モードと再生モードとが切替わることとなる。
【００２４】
また、カメラ本体部２の背面には、電源スイッチ１４の上方に表示切替ボタン１７が設けられ、シャッタボタン９の近傍にＡＥロックボタン１８が設けられている。この表示切替ボタン１７は、ＬＣＤ１０(ＥＶＦ２０)に表示されるライブビュー画像に重ねて画像データの輝度分布を示すヒストグラムを表示させる輝度情報表示モードに切替えるためのボタンである。また、ＡＥロックボタン１８は、ＡＥ設定をロックするためのボタンで、後述するポイント選択モードが選択されている場合に、このＡＥロックボタン１８を押下することにより内蔵フラッシュ５がプリ発光する。
【００２５】
また、カメラ本体部２の背面には、ＬＣＤ１０の中央上方に接眼センサ１９が設けられている。この接眼センサ１９は、撮影者がＥＶＦ２０を覗き込んでＥＶＦ２０に接近したことを検知するもので、接眼検知されるとＥＶＦ２０がオンするようになっている。
【００２６】
次に、デジタルカメラ１の内部構成について説明する。図４は、デジタルカメラ１の内部構成を示す概略ブロック図である。
【００２７】
撮影レンズ３は、レンズ群３００，３０１とともに、内部に透過光量を調節するための絞り３０２を備えている。なお、図４においては、図示の都合上、絞り３０２がレンズ群３０１の後側に配置されるように示しているが、絞り３０２の配置はこのようなものに限定されない。たとえば、絞り３０２は、レンズ群３０１（ないし３００）の内部に設けられていても良く、または、両レンズ群３００，３０１の間に設けられていてもよい。
【００２８】
ＣＣＤ３０３は、撮影レンズ３により結像された被写体の光像を、Ｒ(赤)、Ｇ(緑)、Ｂ(青)の色成分の画像信号(各画素で受光された画素信号の信号列からなる信号)に光電変換して出力する。タイミングジェネレータ２１４は、ＣＣＤ３０３の駆動を制御するため、各種のタイミングパルスを生成するものである。
【００２９】
デジタルカメラ１における露出制御は、絞り３０２とＣＣＤ３０３の露光量、すなわちシャッタースピードに相当する電荷蓄積時間を調整して行われる。被写体輝度が低輝度時に適切なシャッタースピードが設定できない場合には、ＣＣＤ３０３から出力される画像信号のレベル調整を行うことにより露光不足による不適正露出が補正される。すなわち、低輝度時には、シャッタースピードとゲイン調整とを組合わせて露出制御が行われる。画像信号のレベル調整は、信号処理回路１２１内のＡＧＣ回路のゲイン調整において行われる。
【００３０】
タイミングジェネレータ２１４は、タイミング制御回路２０２から送信される基準クロックに基づきＣＣＤ３０３の駆動制御信号を生成するものである。タイミングジェネレータ２１４は、例えば積分開始／終了(露出開始／終了)のタイミング信号、各画素の受光信号の読出制御信号(水平同期信号、垂直同期信号、転送信号等)等のクロック信号を生成し、ＣＣＤ３０３に出力する。
【００３１】
信号処理部１２０は、ＣＣＤ３０３から出力される画像信号に所定のアナログ信号処理及びデジタル信号処理を行うものである。画像信号の信号処理は画像データを構成する各画素の受光信号毎に行われる。信号処理部１２０は、アナログ信号処理回路１２１、Ａ／Ｄ変換回路１２２、黒レベル補正回路１２３、ホワイトバランス(ＷＢ)回路１２４、γ補正回路１２５、及び画像メモリ１２６を備えている。
【００３２】
アナログ信号処理回路１２１はアナログ信号処理を行うものであり、主にＣＤＳ（相関二重サンプリング）回路及びＡＧＣ（オートゲインコントロール）回路からなり、ＣＣＤ３０３から出力される画素信号のサンプリングノイズの低減と信号レベルの調整を行う。ＡＧＣ回路におけるゲインコントロールには、絞り３０２の絞り値とＣＣＤ３０３の露光時間とで適正露出が得られなかった場合の撮影画像のレベル不足を補償する場合も含まれる。
【００３３】
Ａ／Ｄ変換回路１２２はアナログ信号処理回路１２１から出力されるアナログ信号である画像信号をデジタル信号である画像データに変換するものである。変換後の画像データは、画像メモリ１２６に一旦格納される。
【００３４】
黒レベル補正回路１２３は、Ａ／Ｄ変換回路１２２でＡ／Ｄ変換された画像信号の黒レベルを基準の黒レベルに補正するものである。また、ＷＢ回路１２４は、ＲＧＢ各色成分の画像データに対してレベル変換を行うものである。このＷＢ回路１２４は、全体制御部１５０から入力されるレベル変換テーブルを利用してＲＧＢ各色成分の画像データのレベルを変換する。なお、レベル変換テーブルの各色成分の変換係数(特性の傾き)は、全体制御部１５０により撮影画像ごとに設定される。
【００３５】
γ補正回路１２５は、画像データのγ特性を補正する回路であり、予め設定されたγ補正用テーブルを用いて画像データのレベルを補正する。
【００３６】
画像メモリ１２６は、γ補正回路１２５から出力される画像データを一時保持するメモリである。画像メモリ１２６は、１フレーム分の画像データを格納し得る記憶容量を有している。すなわち、画像メモリ１２６は、ＣＣＤ３０３の画素数に対応する２５００×１９２０画素分の画像データを記憶する容量を有し、各画素データが対応する画素位置に記憶される。
【００３７】
調光回路３０４は、フラッシュ撮影における内蔵フラッシュ５の発光量を、全体制御部１５０により設定された所定の発光量に制御するものである。フラッシュ撮影においては、露出開始と同時に被写体からのフラッシュ光の反射光が調光センサ３０５で受光され、この受光量が所定の発光量に達すると、調光回路３０４から発光停止信号が出力され、この発光停止信号に応答して内蔵フラッシュ５の発光を強制的に停止し、これにより内蔵フラッシュ５の発光量が所定の発光量に制御される。
【００３８】
レンズ制御部１３０は、撮影レンズ３内のレンズ群３００，３０１および絞り３０２の各部材の駆動を制御するものである。レンズ制御部１３０は、絞り３０２の絞り値を制御する絞り制御回路１３１と、モータＭ１，Ｍ２を駆動することによりズームの変倍率を変更する（言い換えれば画角を変更する）ズーム制御回路１３２と、モータＭ１，Ｍ２を駆動することによりフォーカス制御を行うフォーカス制御回路１３３とを備えている。
【００３９】
絞り制御回路１３１は、全体制御部１５０から入力される絞り値に基づいて絞り３０２を駆動し、その開口量を当該絞り値に設定する。フォーカス制御回路１３３は、全体制御部１５０から入力されるＡＦ制御信号に基づいてモータＭ１，Ｍ２の駆動量を制御し、レンズ群３００，３０１を焦点位置に設定する。ズーム制御回路１３２は、４連スイッチ１５による入力に応じて全体制御部１５０から入力されるズーム制御信号に基づいて、モータＭ１，Ｍ２を駆動してレンズ群３００，３０１を移動させる。これによって、ズームの状態が、ワイド側あるいはテレ側へと移動する。
【００４０】
表示部１４０は、ＬＣＤ１０及びＥＶＦ２０への表示を行うものである。表示部１４０には、ＬＣＤ１０、ＥＶＦ２０とともに、ＬＣＤ１０に再生表示されるの画像データのバッファメモリとなるＬＣＤＶＲＡＭ１４１及びＥＶＦ２０に再生表示される画像データのバッファメモリとなるＥＶＦＶＲＡＭ１４２を備えている。このＬＣＤＶＲＡＭ１４１は、ＬＣＤの画素数６４０×４８０に対応した画像データの記憶容量を有しており、ＥＶＦＶＲＡＭ１４２は、ＥＶＦ２０の画素数４００×３００に対応した画像データの記憶容量を有している。
【００４１】
撮影待機状態においては、ＣＣＤ３０３により１／３０（秒）毎に順次に生成された画像（ファインダー画像）の各画素データが、信号処理部１２０による所定の信号処理を施された後、画像メモリ１２６に一時記憶される。そして、全体制御部１５０によって読み出され、データサイズが調整された後にＬＣＤＶＲＡＭ１４１及びＥＶＦＶＲＡＭ１４２に転送され、ＬＣＤ１０及びＥＶＦ２０にファインダー画像として表示される。これにより撮影者は、被写体像を視認することができる。また、再生モードにおいては、メモリカード８から読み出された画像が全体制御部１５０によって所定の信号処理が施された後に、ＬＣＤＶＲＡＭ１４１に転送され、ＬＣＤ１０に再生表示されることとなる。
【００４２】
操作部１０１は、上述したカメラ本体部２に設けられた撮影や再生に関する操作部材の操作情報を全体制御部１５０に入力するものである。操作部１０１から入力される操作情報には、シャッタボタン９、電源スイッチ１４、４連スイッチ１５及びスイッチ群１６等の各操作部材の操作情報が含まれる。
【００４３】
全体制御部１５０は、マイクロコンピュータからなり、撮影機能及び再生機能を統括制御するものである。全体制御部１５０には、カードインターフェース１０３を介してメモリカード８が接続されている。また、通信用インターフェース１０５を介してパーソナルコンピュータＰＣが外部接続されるようになっている。
【００４４】
全体制御部１５０は、撮影機能及び再生機能における数々の具体的な処理を行うための処理プログラムや上述したデジタルカメラ１の各部材の駆動を制御するための制御プログラムが記憶されたＲＯＭ１５１と、処理プログラム及び制御プログラムに従って数々の演算作業を行うための作業領域となるＲＡＭ１５２を備えている。なお、記録媒体であるメモリカード８に記録されている例えば輝度表示プログラムなどのプログラムデータをカードＩ／Ｆ１０３を介して読み出し、ＲＯＭ１５１に格納することができるようになっている。従って、これらの処理プログラム及び制御プログラムは、メモリカード８からデジタルカメラ１中にインストールされることが可能である。なお、処理プログラム及び制御プログラムは、通信用Ｉ／Ｆ１０５を介してパーソナルコンピュータＰＣからインストール可能となっていても良い。
【００４５】
また、全体制御部１５０は、露出制御値(シャッタスピード(ＳＳ)と絞り値)を設定するための輝度判定部と露出量設定部とを備えている。
【００４６】
さらに、全体制御部１５０は、上記撮影画像の記録処理を行なうために、フィルタリング処理を行なうフィルタ部とサムネイル画像及び圧縮画像を生成する記録画像生成部とを備え、メモリカード８に記録された画像をＬＣＤ１０やＥＶＦ２０に再生するために、再生画像を生成する再生画像生成部を備えている。
【００４７】
上記のフィルタ部は、デジタルフィルタにより記録すべき画像の高周波成分を補正して輪郭に関する画質の補正を行なうものである。また、記録画像生成部は、画像メモリ１２６から画像データを読み出してメモリカード８に記録すべきサムネイル画像と圧縮画像とを生成する。この記録画像生成部は、画像メモリ１２６から横方向と縦方向の両方向でそれぞれ８画素毎に画素データを読み出し、順次、メモリカード８に転送することで、サムネイル画像を生成しつつメモリカード８に記録する。さらに、記録画像生成部は、画像メモリ１２６から全画素データを読み出し、これらの画素データに２次元ＤＣＴ変換、ハフマン符号化等のＪＰＥＧ方式による所定の圧縮処理を施して圧縮画像の画像データを生成し、この圧縮画像データをメモリカード８の画像エリアに記録する。
【００４８】
全体制御部１５０は、撮影モードにおいて、シャッタボタン９により撮影が指示されると、撮影指示後に画像メモリ１２６に取り込まれた画像のサムネイル画像と設定された圧縮率によりＪＰＥＧ方式により圧縮された圧縮画像とを生成し、撮影画像に関するタグ情報（コマ番号、露出値、シャッタスピード、圧縮率、撮影日、撮影時のフラッシュのオンオフのデータ、シーン情報、画像の判定結果等）等の情報とともに両画像をメモリカード８に記憶する。
【００４９】
カードＩ／Ｆ１０３を介してメモリカード８に記録された画像の各コマには、図５に示すように、タグ情報８１と、ＪＰＥＧ形式で圧縮された高解像度の画像データ８２（６００×１２００画素）と、サムネイル表示用の画像データ８３（８０×６０画素）とが記録されている。
【００５０】
モード切替スイッチ３４で再生モードを選択したときには、メモリカード８内のコマ番号の最も大きな画像データが読み出され、再生画像生成部にて、データ伸張され、これがＬＣＤＶＲＡＭ１４１やＥＶＦＶＲＡＭ１４２に転送されることにより、ＬＣＤ１０やＥＶＦ２０には、コマ番号の最も大きな画像すなわち直近に撮影された画像が表示される。ボタンＳＵを操作することにより、コマ番号の大きな画像が表示され、ボタンＳＤを押すことによりコマ番号の小さな画像が表示される。
【００５１】
＜デジタルカメラ１の動作＞
図６は、デジタルカメラ１の基本的な動作を説明するフローチャートである。本動作は、全体制御部１５０のＲＯＭ１５１に格納される輝度情報表示プログラムを実行することにより実施される。
【００５２】
まず、撮影者が電源スイッチ１４をオンにして、モード切替スイッチ３４で撮影モードが選択される(ステップＳＴ１)。
【００５３】
ステップＳＴ２では、ＣＣＤ３０３で取得された画像データに基づき、図７に示すファインダー画像Ｇ１がＬＣＤ１０にライブビュー状態で表示される。ここで、接眼センサ１９により撮影者の接眼が検知された場合には、ＬＣＤ１０がオフされるとともにＥＶＦ２０がオンされてＥＶＦ２０にファインダー画像Ｇ１が表示されることとなる。なお、以下では、説明の便宜上、撮影者の接眼が検知されない場合、すなわちファインダー画像がＬＣＤ１０に表示する場合について説明する。また、デジタルカメラ１に光学ファインダが設けられている場合、撮影者がこの光学ファインダを使用する際には、ＬＣＤ１０やＥＶＦ２０がオフとなる。
【００５４】
ステップＳＴ３では、輝度情報表示モードが選択されたかを判定する。ここでは、撮影者が表示切替ボタン１７を操作することにより輝度情報表示モードに設定したか否かを判断する。ここで、輝度情報表示モードが選択された場合には、ステップＳＴ４に進み、輝度情報表示モードが選択されていない場合には、ステップＳＴ３に戻る。
【００５５】
ステップＳＴ４では、撮影者によりシャッタボタン９が半押しされたかを判定する。ここで、半押しされた場合には、ステップＳＴ５に進み、半押しされていない場合には、ステップＳＴ３に戻る。
【００５６】
ステップＳＴ５では、フラッシュ撮影モードが選択されているかを判定する。ここでは、例えば内蔵フラッシュ５がポップアップされている場合に、フラッシュ撮影モードが設定されていると判断する。ここで、フラッシュ撮影モードが選択された場合には、ステップＳＴ６に進み、フラッシュ撮影モードが選択されていない場合には、ステップＳＴ７に進む。
【００５７】
ステップＳＴ６では、内蔵フラッシュ５が本撮影前にプリ発光する。ここでは、内蔵フラッシュ５の発光方式としてフラット発光を行うのが好ましい。なお、撮影者がシャッタボタン９を半押しする(ステップＳＴ４)場合にプリ発光させるのは必須でなく、撮影者がＡＥロックボタン１８を押下する場合にプリ発光されるようにしても良い。
【００５８】
ステップＳＴ７では、ＣＣＤ３０３で画像データが取得される。この際には、ＣＣＤ３０３の総画素数２５００×１９２０の画像データを取得するのは必須でなく、ＬＣＤ１０の表示画素数に相当する画素に間引いた画像データを取得するようにしても良い。これにより、後述する輝度情報の取得が迅速に行える。
【００５９】
ここで、ステップＳＴ６でプリ発光が行われる場合には、内蔵フラッシュ５のプリ発光に伴い取得されたファインダー画像の画像データをメモリカード８に記録できるようにしても良い。これにより、プリ発光による画像を記録できるため、シャッターチャンスを逃すのを防止できる。
【００６０】
ステップＳＴ８では、ＬＣＤ１０にヒストグラムを表示する。具体的には、図８に示すように、ファインダー画像Ｇ２に重畳して、ＣＣＤ３０３で取得した画像全体の輝度分布を表すヒストグラムＨＧ(平行斜線部)が表示される。なお、デジタルカメラ１に光学ファインダが設けられている場合で撮影者がこの光学ファインダを使用する時でも、ＬＣＤ１０にはヒストグラムが表示される。
【００６１】
ステップＳＴ９では、ポイント選択モードが選択されたかを判定する。ここでは、撮影者が表示切替ボタン１７を例えば数秒間押下したことが検知される場合に、ポイント選択モードが指定されたと判断する。ここで、ポイント選択モードが選択された場合には、ステップＳＴ１０に進み、ポインタ選択モードが選択されていない場合には、ステップＳＴ３に戻る。
【００６２】
ステップＳＴ１０では、ポインタを表示する。具体的には、図９に示すように、ファインダー画像Ｇ３に重畳して、ファイダー画像Ｇ３の一部に相当する輝度検出部位を指定する十字形状のポインタＰＴが表示される。この場合、撮影者が４連スイッチ１５を操作することにより、ポインタＰＴはＬＣＤ１０の画面内を上下左右に移動し、撮影者が画面の指定位置を設定できる。
【００６３】
ここでは、メニュー表示スイッチ３３で切替えられたメニュー画面において、上記のポインタＰＴに合焦ポイントを関連付けさせるようにしても良い。これにより、輝度を検出するポインタＰＴと連動して、このポインタＰＴを中心として設定される例えば矩形エリアで定義される合焦エリアが移動することとなる。そして、ファインダー画像の一部に相当する合焦エリア内の画像データに基づいて合焦制御が行われる。その結果、デジタルカメラ１の操作性が向上する。
【００６４】
ステップＳＴ１１では、露出補正操作部を変更する。具体的には、撮影者の操作し易いダイアル９１を露出補正用に切替える。そして、ダイアル９１を操作することにより、撮影者は、狙った被写体を所望の露出値に簡単で迅速に調整できる。
【００６５】
ステップＳＴ１２では、ファインダー画像Ｇ３(図９)、すなわちＬＣＤ１０の画面内のポインタＰＴの位置を取得する。
【００６６】
ステップＳＴ１３では、ステップＳＴ１２で取得したポインタＰＴの位置に対応する画素の輝度を表示する。具体的には、図９に示すように、ポインタＰＴの中心位置にある画素の輝度を表すマーカーＭＫが、ヒストグラムＨＧの中に表示される。この場合、ヒストグラムにおけるマーカーＭＫの横軸情報が輝度情報に相当する。すなわち、輝度検出部位(ポインタＰＴ)の画像データに関する輝度情報がＬＣＤ１０に表示されることとなる。このマーカーＭＫの表示により、ポインタＰＴにより指定される画素の輝度を詳細に把握できる。
【００６７】
ステップＳＴ１４では、撮影者によりシャッタボタン９が全押しされたかを判定する。ここで、全押しされた場合には、ステップＳＴ１５に進み、全押しされていない場合には、ステップＳＴ３に戻る。
【００６８】
ステップＳＴ１５では、ステップＳＴ５と同様に、フラッシュ撮影モードが選択されているかを判定する。ここで、フラッシュ撮影モードが選択されている場合には、ステップＳＴ１６に進み、フラッシュ撮影モードが選択されていない場合には、ステップＳＴ１７に進む。
【００６９】
ステップＳＴ１６では、内蔵フラッシュ５が被写体に向けて発光する。
【００７０】
ステップＳＴ１７では、ＣＣＤ３０３で画像データを取得して、メモリカード８に記録する。
【００７１】
以上のデジタルカメラ１の動作により、ポインタＰＴにより指定される画素の輝度を表示するため、ファインダー画像の一部に関する輝度情報を把握でき、撮影者の利便性が向上する。また、フラッシュ撮影においては、本撮影前のプリ発光を伴い取得されたファインダー画像に基づき輝度情報をＬＣＤ１０に表示するため、フラッシュ撮影前でも精度の高い輝度情報が得られる。
【００７２】
なお、デジタルカメラ１については、ポインタＰＴにより１画素の輝度情報を表示するのは必須でなく、図１０に示すように一定の面積を有する複数の画素からなる指定エリアＰＥを輝度検出部位として指定し、その指定エリアＰＥ内の輝度分布を表示するようにしても良い。
【００７３】
指定エリアＰＥは、円形状のエリアとなっており、メニュー画面において撮影者が４連スイッチ１５を操作することにより、指定エリアＰＥの大きさを変更できるようになっている。
【００７４】
そして、ＬＣＤ１０においては、ファインダー画像Ｇ２に重畳してファインダー画像全体の輝度分布を表すヒストグラムＨＧａが表示されるとともに、指定エリアＰＥ内の画素群の輝度分布を表すヒストグラムＨＧｂが、このヒストグラムＨＧａに重畳して表示される。
【００７５】
これにより、ファインダー画像の一部に相当する指定エリアＰＥ内の輝度分布を詳細に把握できることとなる。
【００７６】
＜変形例＞
◎上記の実施形態におけるポインタについては、１つのポインタに関する輝度情報を表示するのは必須でなく、２以上のポインタに関する輝度情報を表示するようにしても良い。例えば、２つのポインタを表示する場合を以下で説明する。
【００７７】
図１１に示すように、２つのポインタＰＴ１、ＰＴ２を表示するとともにファインダー画像全体の輝度分布を表す２つのヒストグラムＨＧ１、ＨＧ２を表示する。この場合、輝度検出部位は、互いに異なる複数の部位を独立に指定可能な２つのポインタＰＴ１、ＰＴ２となる。そして、ポインタＰＴ１が指定する画素の輝度を示すマーカーＭＫ１をヒストグラムＨＧ１に重畳して表示するとともに、ポインタＰＴ２が指定する画素の輝度を示すマーカーＭＫ２をヒストグラムＨＧ２に重畳して表示する。これにより、位置の異なる複数の画素の輝度情報を把握できることとなる。
【００７８】
また、図１２に示すように、２つのポインタＰＴ３、ＰＴ４を表示するとともにファインダー画像全体の輝度分布を表す１つのヒストグラムＨＧ３を表示する。そして、ポインタＰＴ３が指定する画素の輝度を示すマーカーＭＫ３と、ポインタＰＴ４が指定する画素の輝度を示すマーカーＭＫ４とをヒストグラムＨＧ３に重畳して表示する。これにより、上記と同様に、位置の異なる複数の画素の輝度情報を把握できることとなる。
【００７９】
◎上記の実施形態におけるフラッシュについては、デジタルカメラに装備されるのは必須でなく、デジタルカメラに着脱可能な外付けのフラッシュであっても良い。
【００８０】
◎上記の実施形態における輝度情報については、ポインタＰＴで指定する画素の輝度をヒストグラム上のマーカーＭＫで表すのは必須でなく、指定画素の輝度値を数値情報として数値表示を用いて表すようにしても良い。
【００８１】
◎上記の実施形態については、画像データにおける赤色(Ｒ)、緑色(Ｇ)、青色(Ｂ)全ての画素情報から輝度値(輝度分布)を求めて輝度情報をヒストグラムなどで表しているが、これに限らず、Ｒ、ＧおよびＢから選択される１の色、つまり光に係る１の波長域に関する画素値に基づく濃度情報表示を行っても良い。具体的には、波長域の成分分布(濃度分布)などを表示する。この場合には、例えばメニュー表示スイッチ３３に対する操作によりメニュー画面を表示して、このメニュー画面の中で特定の波長域を指定するようにする。このような輝度表示により、より詳細な輝度情報が得られる。
【００８２】
◎上記の実施形態については、画素加算可能なＣＣＤを使用する場合には、図６のステップＳＴ３に示すプリ発光動作における発光量を、画素加算量に応じて減少させることができる。具体的には、近隣の２画素を加算する場合には、画素加算を行なわない場合の発光量に対して、１／２程度の発光量で足りることとなる。これにより、内蔵フラッシュのチャージアップ時間が短縮され、迅速なフラッシュ撮影が可能となり、シャッターチャンスを逃すのを防止できる。なお、信号処理回路１２１内のＡＧＣ回路のゲインを増加させることによっても、プリ発光における発光量を抑えることができる。
【００８３】
◎上述した具体的実施形態には、以下の構成を有する発明が含まれている。
【００８４】
(１)請求項５に記載の撮像装置において、前記フラッシュのプリ発光では、フラット発光が行われることを特徴とする撮像装置。
【００８５】
これにより、高精度の輝度情報を取得できる。
【００８６】
(２)請求項４に記載の撮像装置において、前記波長域は、赤色、緑色および青色からなる群から選択される色に対応する波長域であることを特徴とする撮像装置。
【００８７】
これにより、三原色それぞれの輝度情報が簡単に把握できる。
【００８８】
(３)輝度検出部位は、複数の部位からなっており、表示制御手段は、前記複数のエリアそれぞれに関する複数の輝度情報を表示手段に表示させる手段を有することを特徴とする撮像装置。
【００８９】
これにより、撮影者の利便性が向上する。
【００９０】
(４)請求項５に記載の撮像装置において、フラッシュのプリ発光を伴い取得された撮影準備画像の画像データを記録媒体に記録させる記録制御手段を備えることを特徴とする撮像装置。
【００９１】
これにより、プリ発光による画像を記録できるため、シャッターチャンスを逃すのを防止できる。
【００９２】
【発明の効果】
以上説明したように、請求項１ないし請求項５の発明によれば、表示手段に表示された撮影準備画像上で指定される輝度検出部位の画像データに関する輝度情報を表示手段に表示させるため、ファインダー画像の一部に関する輝度情報を把握できる。
【００９３】
特に、請求項２の発明においては、輝度検出部位と合焦エリアとが撮影準備画像において連動して移動するため、操作性が向上する。
【００９４】
また、請求項３の発明においては、表示制御手段が能動化される場合には特定の操作部材に対する操作入力に基づき露出補正に係る露出設定を行うとともに、表示制御手段が不能化される場合には特定の操作部材に対する操作入力に基づき露出設定と異なる他の設定を行う。その結果、露出補正を簡易に迅速に行える。
【００９５】
また、請求項４の発明においては、輝度検出部位について波長指定手段で指定された波長域の濃度情報を表示手段に表示させるため、より詳細な輝度情報が得られる。
【００９６】
また、請求項５の発明においては、フラッシュ撮影モードが設定される場合には、本撮影前においてフラッシュのプリ発光を伴い取得された撮影準備画像に基づき輝度検出部位の輝度情報を表示手段に表示させるため、フラッシュ撮影前でも精度の高い輝度情報が得られる。
【図面の簡単な説明】
【図１】本発明の実施形態に係るデジタルカメラ１の外観の概略構成を示す図である。
【図２】デジタルカメラ１の外観の概略構成を示す図である。
【図３】デジタルカメラ１の外観の概略構成を示す図である。
【図４】デジタルカメラ１の内部構成を示す概略ブロック図である。
【図５】メモリカード８に記録される各データを説明するための図である。
【図６】デジタルカメラ１の基本的な動作を説明するフローチャートである。
【図７】デジタルカメラ１の動作を説明するための図である。
【図８】デジタルカメラ１の動作を説明するための図である。
【図９】デジタルカメラ１の動作を説明するための図である。
【図１０】デジタルカメラ１の動作を説明するための図である。
【図１１】本発明の変形例に係るデジタルカメラ１の動作を説明するための図である。
【図１２】本発明の変形例に係るデジタルカメラ１の動作を説明するための図である。
【符号の説明】
１  デジタルカメラ
５  内蔵フラッシュ
９  シャッタボタン
１０  ＬＣＤ
１５  ４連スイッチ
１７  表示切替ボタン
１８  ＡＥロックボタン
１９  接眼センサ
２０  ＥＶＦ
９１  ダイアル
１５０  全体制御部
３０３  ＣＣＤ
Ｇ１〜Ｇ６  ファインダー画像
ＨＧ、ＨＧａ、ＨＧｂ、ＨＧ１〜ＨＧ３  ヒストグラム
ＭＫ、ＭＫ１〜ＭＫ４  マーカー
ＰＥ  指定エリア
ＰＴ、ＰＴ１〜ＰＴ４  ポインタ
【図１】
2004208028.tif 000003
【図２】
2004208028.tif 000004
【図３】
2004208028.tif 000005
【図４】
2004208028.tif 000006
【図５】
2004208028.tif 000007
【図６】
2004208028.tif 000008
【図７】
2004208028.tif 000009
【図８】
2004208028.tif 000010
【図９】
2004208028.tif 000011
【図１０】
2004208028.tif 000012
【図１１】
2004208028.tif 000013
【図１２】
2004208028.tif 000014